(57)【要約】【課題】触媒層を２層以上に分割し、分割されたそれぞれの触媒層の温度をその反応温度範囲に良好に制御可能なタール分解方法およびそのタール分解設備を提供することにある。【解決手段】本発明に係るタール分解方法は、可燃性ガスのガス化ガス中に含まれるタール分を金属系触媒によって分解するタール分解方法であって、触媒が充填される触媒層を２層以上の多層に分割し、当該分割された触媒層のそれぞれにおける触媒の温度を、当該触媒の反応温度範囲に制御することを特徴とする。【選択図】図１
2010111779.tif 000002
【特許請求の範囲】
【請求項１】
可燃性ガスのガス化ガス中に含まれるタール分を金属系触媒によって分解するタール分解方法であって、
前記触媒が充填される触媒層を２層以上の多層に分割し、当該分割された触媒層のそれぞれにおける触媒の温度を、当該触媒の反応温度範囲に制御することを特徴とするタール分解方法。
【請求項２】
前記分割された触媒層のそれぞれにおいて、触媒あるいはガス化ガスの温度またはガス化ガス中の炭化水素成分の濃度に基づいて、酸化剤あるいは蒸気による温度制御を行う請求項１のタール分解方法。
【請求項３】
前記分割された触媒層のそれぞれにおいて、触媒の温度変化およびガス化ガス中の炭化水素成分の濃度によって触媒の劣化を判断し、触媒の補充あるいは入れ替えを行う請求項１または２のタール分解方法。
【請求項４】
可燃性ガスのガス化ガス中に含まれるタール分を金属系触媒によって分解するタール分解設備であって、
前記タールを分解する金属系触媒が充填される触媒層が２層以上に分割された触媒層群と、
前記それぞれの触媒層の触媒の温度あるいは触媒層出口のガス化ガスの温度を測定する温度測定手段と、
前記それぞれの触媒層あるいはガス化ガスの昇温のために用いられる酸化剤を供給する酸化剤供給手段と、
前記それぞれの触媒層あるいはガス化ガスの減温のために用いられる蒸気を供給する蒸気供給手段と、
前記温度測定手段で測定された温度により、触媒の温度が当該触媒の反応温度範囲になるように、前記酸化剤供給手段あるいは蒸気供給手段を制御する制御手段と、を有するタール分解設備。
【請求項５】
前記触媒を昇温する燃焼手段をさらに有し、前記制御手段によって制御される請求項４のタール分解設備。
【請求項６】
前記触媒を供給する触媒供給手段と、
前記触媒層内の触媒を排出する触媒排出手段と、
前記温度測定手段で測定された温度の上昇傾向を算出し、当該上昇傾向に基づいて触媒の劣化を判断する触媒劣化判断手段と、
前記触媒劣化判断手段の判断結果において、前記上昇傾向が予め設定された設定値以上の場合に、前記触媒を入れ換えるあるいは触媒を補充するように前記触媒排出手段および触媒供給手段を制御する触媒入れ替え制御手段と、をさらに有する請求項４または５のタール分解設備。
【請求項７】
前記触媒を供給する触媒供給手段と、
前記触媒層内の触媒を排出する触媒排出手段と、
前記制御手段によって前記酸化剤供給手段が制御される場合において、前記測定された温度を一定に維持するように酸化剤の供給制御を行う場合、酸化剤の供給量の供給傾向を算出し、当該供給傾向に基づいて触媒の劣化を判断する触媒劣化判断手段と、
前記触媒劣化判断手段の判断結果において、前記供給傾向が予め設定された減少傾向の設定値の場合に、前記触媒を入れ換えるあるいは触媒を補充するように前記触媒排出手段および触媒供給手段を制御する触媒入れ替え制御手段と、をさらに有する請求項４または５のタール分解設備。
【請求項８】
前記触媒を供給する触媒供給手段と、
前記触媒層内の触媒を排出する触媒排出手段と、
前記触媒層の出口側でガス化ガス中の炭化水素成分の濃度を測定する成分濃度測定手段と、
前記成分濃度測定手段で測定された濃度の上昇傾向を算出し、当該上昇傾向に基づいて触媒の劣化を判断する触媒劣化判断手段と、
前記触媒劣化判断手段の判断結果において、前記上昇傾向が予め設定された設定値以上の場合に、前記触媒を入れ換えるあるいは触媒を補充するように前記触媒排出手段および触媒供給手段を制御する触媒入れ替え制御手段と、をさらに有する請求項４または５のタール分解設備。
【請求項９】
前記触媒層の出口側でガス化ガス中の炭化水素成分の濃度を測定する成分濃度測定手段をさらに有し、前記制御手段は、前記成分濃度測定手段で測定された濃度により、触媒の温度が当該触媒の反応温度範囲になるように、前記酸化剤供給手段あるいは蒸気供給手段を制御する請求項４に記載のタール分解設備。
【発明の詳細な説明】
【技術分野】
【０００１】
本発明は、可燃性ガスのガス化ガス中に含まれるタール分を触媒によって分解するタール分解方法およびタール分解設備に関する。
【背景技術】
【０００２】
木屑や下水汚泥のような有機物を含む廃棄物（有機系廃棄物）やバイオマス燃料から高効率にエネルギー転換する技術として、ガス化技術が注目されている。ガス化することによって発生したガスを、ガスエンジンやガスタービンなどの内燃機関にて燃焼させることにより発電することが可能であり、その発電効率は燃料を直接燃焼して蒸気を発生させ、蒸気タービンにより発電するボイラ発電システムによる、より高効率という特長を有する（特許文献１）。
【０００３】
しかし、ガス化設備から発生した生成ガスはダスト、タール、その他の有害な腐食性物質・汚染物質が含まれており、そのままガスエンジン等の発電設備に投入すると、燃焼設備、配管類、ノズル、その他に詰まりや腐食などの問題が生じる。
【０００４】
そこで、ガス化設備から発生したガス化ガスは、無害化処理される必要がある。すなわち、特許文献１の図２に示すように、ガス化設備から生成されたガス化ガスは高温集塵設備２にて集塵処理され、ガス化ガス中のダストが除去された後、タール分解触媒層を備えた反応器であるタール分解設備に導入されて、ガス化ガス中のタール分が分解され、その後ガス化ガスはガス冷却設備にて冷却され、低温集塵設備（図示略）などに送られて、更に無害化される（例えば、特許文献１）。
【０００５】
また、ガス化設備によりガス化され、除塵されたガス化ガスを受け入れると共に、ガス化ガス中に含まれるタール分を分解する触媒層を備えた反応器を有するタール分解システムにおいて、前記反応器中のガス化ガスの温度を測定する温度検出器と、この温度検出器の測定結果と予め設定した設定温度とを比較すると共に前記反応器に導入されるガス化ガスの温度を設定温度に近づかせるよう昇温または降温指令を行う演算制御部とを有することを特徴とするタール分解システムが知られている（特許文献２参照）。
【０００６】
また、図４に一般的なタール分解設備について示す。ガス化設備１より供給され、高温集塵設備２にて除塵されたタール含有のガス化ガスＧ１は、反応器３のなかに充填されたタール分解触媒４を通過する。その際に、反応器３入口および出口におけるタール含有ガス化ガスＧ１の温度や水分は成り行きとなっている。タールが分解される際に、ガス中のその他の炭化水素成分も分解され、それらの反応は吸熱反応である。その代表的な反応は下記の通りである。
（式１）Ｃ１０Ｈ８＋１０Ｈ２Ｏ→１４Ｈ２＋１０ＣＯ＋ΔＨ（Ｃ１０Ｈ８）
（式２）Ｃ１０Ｈ８＋２０Ｈ２Ｏ→２４Ｈ２＋１０ＣＯ２＋ΔＨ（Ｃ１０Ｈ８）
（式３）ＣＨ４＋Ｈ２Ｏ→３Ｈ２＋ＣＯ＋ΔＨ（ＣＨ４）
（式４）ＣＨ４＋２Ｈ２Ｏ→４Ｈ２＋ＣＯ２＋ΔＨ（ＣＨ４）
（式５）Ｃ２Ｈ４＋２Ｈ２Ｏ→４Ｈ２＋２ＣＯ＋ΔＨ（Ｃ２Ｈ４）
（式６）Ｃ２Ｈ４＋４Ｈ２Ｏ→６Ｈ２＋２ＣＯ２＋ΔＨ（Ｃ２Ｈ４）
【０００７】
触媒には各成分に対しての分解活性を有効にする温度域があり、断熱型反応器において触媒層が一層の場合、図５に説明するように、触媒層入口の温度Ｔｉが触媒反応に必要な温度Ｔｎ以上であっても、タールおよび炭化水素の分解に伴う反応吸熱により、触媒層入口から出口に進む過程でガス化ガスの温度が下がり、触媒反応に必要な温度Ｔｎ以下に下がってしまう。このため、タール分解に有効な反応温度域にある触媒は一部であって、全体のタール分解性能が発揮されず、タール分解効率が悪い。一方で、触媒層出口の温度ＴｏがＴｎ以上となるように触媒入口温度Ｔｉを上げることは、高温度域で有利なメタンの分解による吸熱が大きくなるなど、システム全体のエネルギー転換効率を下げることになり最善の方法とはいえない。
【特許文献１】特開平１１−２１５６６号公報
【特許文献２】特開２００７−９９９２７号公報（請求項１）
【発明の開示】
【発明が解決しようとする課題】
【０００８】
すなわち上述の問題は、第１に触媒層に温度勾配ができ、タール分解に有効な温度域は一部（入口）しかなく全体の性能が発揮できていない。第２に、Ｎｉ系のタール分解触媒が効果的に活性を発揮する温度は７５０℃以上（Ｈ２Ｓが数１００ｐｐｍ存在する場合は、８００℃以上）である。ガス中にエチレン、エタンなどの炭化水素が含まれている場合、これらの物質も触媒によって吸熱反応で分解され、触媒の温度が低下してしまう。第３に、ガス化ガス温度を高く設定してしまうとガス化システム全体のエネルギーロスが大きくなりガス化ガスを用いるメリットが低減してしまう。
【０００９】
これに対し、上記特許文献２のタール分解システムでは、一層の触媒層を用いているため、上述と同様の問題を有している。
【００１０】
そこで、本発明は、上記従来技術の有する問題点・状況に鑑みてなされたものであって、その目的は、触媒層を２層以上に分割し、分割されたそれぞれの触媒層の温度をその反応温度範囲に良好に制御可能なタール分解方法およびそのタール分解設備を提供することにある。
【課題を解決するための手段】
【００１１】
上記課題は、各請求項記載の発明により達成される。すなわち、本発明に係るタール分解方法は、
可燃性ガスのガス化ガス中に含まれるタール分を金属系触媒によって分解するタール分解方法であって、
前記触媒が充填される触媒層を２層以上の多層に分割し、当該分割された触媒層のそれぞれにおける触媒の温度を、当該触媒の反応温度範囲に制御することを特徴とする。
【００１２】
この構成によれば、触媒層を２層以上の多層に分割し、当該分割された触媒層のそれぞれにおける触媒の温度を、当該触媒の反応温度範囲に制御することができるため、従来の触媒層に存在していた温度勾配よりも、本発明の分割されたそれぞれの触媒層の温度勾配を小さくでき、触媒の吸熱反応に対して触媒効果が有効に発揮される反応温度域を触媒層全体にわたり維持することができる。よって、分割されたそれぞれの触媒層のタール分解性能の全部を発揮することができ、タール分解効率を飛躍的に向上できる。また、分割されたそれぞれの触媒層ごとに、触媒の温度制御を行うため、全ての触媒層の触媒を常に反応活性の高い条件に維持することができる。触媒層を２層以上に分割する構成は、例えば、触媒充填可能量の１００％（使用上の誤差を含む）が充填された触媒層を、触媒層の厚みが通常構成される厚みよりも薄くなるように、２０〜８０％の触媒充填量の第１の触媒層と、８０〜２０％の触媒充填量の第２の触媒層とに分割する構成が挙げられる。更に第３、第４の触媒層を追加できる。なお、分割されたそれぞれの触媒層の合計触媒充填量が１００％になる必要はない。また、分割された触媒層は、同一の収納容器内に所定の空間を設けて設置されていてもよく、別体の収納容器にそれぞれ分散配置されていてもよい。本発明の技術的構成で特に重要な点は、通常構成される触媒層の厚みをあえて薄く構成することで、それぞれの触媒層の温度勾配を低減し、それぞれの触媒層のタール分解効率を効果的に発揮させる点にある。通常の触媒層の厚みが、例えば設備規模によって異なるが５０ｃｍ〜５００ｃｍの範囲である場合、本発明による分割された触媒層の厚みは、例えば通常の触媒層の厚みに０．２〜０．８を乗算した値である。
【００１３】
上記方法の実施態様として、分割された触媒層のそれぞれにおいて、触媒あるいはガス化ガスの温度またはガス化ガス中の炭化水素成分の濃度に基づいて、酸化剤あるいは蒸気による温度制御を行うことが好ましい。
【００１４】
酸化剤は、例えば空気、酸素、酸素富化空気等が例示される。酸化剤は、ガス化ガスを部分燃焼されてガス化ガス温度を上昇させ、よって触媒層の温度（あるいは層内部の雰囲気温度）も上昇させる。蒸気は、ガス化ガスあるいは触媒層の温度を減温（下降）させる。触媒あるいはガス化ガスの温度またはガス化ガス中の炭化水素成分の濃度を測定し、予め設定された設定値（設定範囲）と比較し、測定値が設定値（設定範囲）に含まれない場合等に温度制御を実行する構成である。
【００１５】
また、上記方法の実施態様として、分割された触媒層のそれぞれにおいて、触媒の温度変化およびガス化ガス中の炭化水素成分の濃度によって触媒の劣化を判断し、触媒の補充あるいは入れ替えを行うことが好ましい。
【００１６】
従来の触媒層よりも本発明の触媒層の厚み（ガス搬送方向における厚み）が分割されて薄いため、従来のものよりも触媒充填量が少ないためタール分解処理時間あたりの触媒の劣化が速い。そこで、触媒の劣化を触媒の温度変化およびガス化ガス中の炭化水素成分の濃度によって判断し、触媒の補充あるいは入れ替えを行えるように構成する。これにより、触媒の補充あるいは入れ替えタイミングを適切に知ることができるため、タール分解処理効率の低下を抑制できる。「触媒の温度変化およびガス化ガス中の炭化水素成分の濃度によって触媒の劣化を判断」する構成において、触媒が劣化したと判断できる条件は、例えば、触媒の温度変化が設定範囲内であっても、炭化水素成分の濃度の変化が設定範囲外になった場合、炭化水素成分の濃度変化が設定範囲内であっても、触媒の温度変化が設定範囲外になった場合、または、触媒の温度変化が設定範囲外であって、炭化水素成分の濃度の変化も設定範囲外になった場合等がその条件として挙げられる。いずれの設定範囲も実験設備あるいは実際の設備等で実施して得られた劣化条件の設定範囲である。また、本発明では触媒層内に充填されている充填量は、充填可能量の２０〜８０％の充填量であり、それゆえ触媒を新たに補充することができる。また補充をせずに、劣化した触媒を排出し、新たに触媒を充填する（入れ替え）ように構成でき、または劣化した触媒の一部を排出し、排出量分の触媒を補充する（一部入れ替え）ように構成できる。
【００１７】
また、他の本発明のタール分解設備は、
可燃性ガスのガス化ガス中に含まれるタール分を金属系触媒によって分解するタール分解設備であって、
前記タールを分解する金属系触媒が充填される触媒層が２層以上に分割された触媒層群と、
前記それぞれの触媒層の触媒の温度あるいは触媒層出口のガス化ガスの温度を測定する温度測定手段と、
前記それぞれの触媒層あるいはガス化ガスの昇温のために用いられる酸化剤を供給する酸化剤供給手段と、
前記それぞれの触媒層あるいはガス化ガスの減温のために用いられる蒸気を供給する蒸気供給手段と、
前記温度測定手段で測定された温度により、触媒の温度が当該触媒の反応温度範囲になるように、前記酸化剤供給手段あるいは蒸気供給手段を制御する制御手段。
【００１８】
この構成のタール分解設備は、上述のタール分解方法の好適な一実施形態を構成している。具体的には、タールを分解する金属系触媒を充填した触媒層が２層以上に分割された触媒層群と、それぞれの触媒層の温度あるいは触媒層出口のガス化ガスの温度を測定する温度測定手段と、それぞれの触媒層あるいはガス化ガスの昇温のために用いられる酸化剤を供給する酸化剤供給手段と、それぞれの触媒層あるいはガス化ガスの降温のために用いられる蒸気を供給する蒸気供給手段と、温度測定手段で測定された温度により、触媒の温度が当該触媒の反応温度範囲になるように、酸化剤供給手段あるいは蒸気供給手段を制御する制御手段とを備えている。この構成の作用効果は上述を同様である。
【００１９】
また、上記本発明において、触媒を昇温する燃焼手段をさらに有し、前記制御手段によって制御されることが好ましい。
【００２０】
この構成によれば、触媒を直接的に昇温できる燃焼手段を備えることで、触媒層の温度を反応温度範囲に維持することができる。燃焼手段は、例えば、バーナーである。
【００２１】
また、上記本発明の一実施形態において、
前記触媒を供給する触媒供給手段と、
前記触媒層内の触媒を排出する触媒排出手段と、
前記温度測定手段で測定された温度の上昇傾向を算出し、当該上昇傾向に基づいて触媒の劣化を判断する触媒劣化判断手段と、
前記触媒劣化判断手段の判断結果において、前記上昇傾向が予め設定された設定値以上の場合に、前記触媒を入れ換えるあるいは触媒を補充するように前記触媒排出手段および触媒供給手段を制御する触媒入れ替え制御手段と、をさらに有することが好ましい。
【００２２】
この構成によれば、タール分解設備は、触媒を供給する触媒供給手段と、触媒層内の触媒を排出する触媒排出手段とを備えている。触媒供給および排出は、自動的に行われるのが好ましい。供給量は、重量測定器あるいは所定量充填タンクを介在させて所定量を供給するように構成できる。また、触媒劣化判断手段を備え、これによって、温度測定手段で測定された温度の上昇傾向を算出し、当該上昇傾向に基づいて触媒の劣化を判断することができる。そして、触媒入れ替え制御手段が、触媒劣化判断手段の判断結果において、上昇傾向が予め設定された設定値以上の場合に、触媒を入れ替えるあるいは触媒を補充するように触媒排出手段および触媒供給手段を制御することができる。入れ替え、補充の概念は上述したとおりである。
【００２３】
また、上記本発明の一実施形態において、
前記触媒を供給する触媒供給手段と、
前記触媒層内の触媒を排出する触媒排出手段と、
前記制御手段によって前記酸化剤供給手段が制御される場合において、前記測定された温度を一定に維持するように酸化剤の供給制御を行う場合、酸化剤の供給量の供給傾向を算出し、当該供給傾向に基づいて触媒の劣化を判断する触媒劣化判断手段と、
前記触媒劣化判断手段の判断結果において、前記供給傾向が予め設定された減少傾向の設定値の場合に、前記触媒を入れ換えるあるいは触媒を追加するように前記触媒排出手段および触媒供給手段を制御する触媒入れ替え制御手段と、をさらに有することが好ましい。
【００２４】
この構成によれば、触媒劣化判断手段は、制御手段によって酸化剤供給手段が制御される場合において、測定された触媒層あるいはガス化ガスの温度を一定に維持するように酸化剤の供給制御を行う場合、酸化剤の供給量の供給傾向を算出し、当該供給傾向に基づいて触媒の劣化を判断することができる。そして、触媒入れ替え制御手段は、触媒劣化判断手段の判断結果において、供給傾向が予め設定された減少傾向の設定値の場合に、触媒を入れ換えるあるいは触媒を追加するように触媒排出手段および触媒供給手段を制御することができる。
【００２５】
また、上記本発明の一実施形態において、
前記触媒を供給する触媒供給手段と、
前記触媒層内の触媒を排出する触媒排出手段と、
前記触媒層の出口側でガス化ガス中の炭化水素成分の濃度を測定する成分濃度測定手段と、
前記成分濃度測定手段で測定された濃度の上昇傾向を算出し、当該上昇傾向に基づいて触媒の劣化を判断する触媒劣化判断手段と、
前記触媒劣化判断手段の判断結果において、前記上昇傾向が予め設定された設定値以上の場合に、前記触媒を入れ換えるあるいは触媒を追加するように前記触媒排出手段および触媒供給手段を制御する触媒入れ替え制御手段と、をさらに有することが好ましい。
【００２６】
この構成によれば、触媒層の出口側でガス化ガス中の炭化水素成分の濃度を測定する成分濃度測定手段を備え、触媒劣化判断手段は、成分濃度測定手段で測定された濃度の上昇傾向を算出し、当該上昇傾向に基づいて触媒の劣化を判断することができる。そして、触媒入れ替え制御手段は、触媒劣化判断手段の判断結果において、上昇傾向が予め設定された設定値以上の場合に、触媒を入れ換えるあるいは触媒を追加するように触媒排出手段および触媒供給手段を制御することができる。
【００２７】
また、上記本発明の一実施形態において、触媒層の出口側でガス化ガス中の炭化水素成分の濃度を測定する成分濃度測定手段をさらに有し、前記制御手段は、前記成分濃度測定手段で測定された濃度により、触媒の温度が当該触媒の反応温度範囲になるように、前記酸化剤供給手段あるいは蒸気供給手段を制御する構成がある。
【００２８】
この構成によれば、測定された濃度が例えば、設定範囲に含まれなかった場合に、酸化剤供給手段あるいは蒸気供給手段を制御して、触媒の温度が当該触媒の反応温度範囲になるように構成できる。
【００２９】
また、酸化剤供給手段あるいは蒸気供給手段の配置としては、分割された触媒層の上流側あるいは、触媒層と触媒層の間に配置することが挙げられる。
【００３０】
また、同一の容器内において配置された、分割された触媒層の間に、中間層を設けることができる。この中間層に酸化剤を供給するように酸化剤供給手段を構成できる。この中間層には、耐熱性を有し、例えば、セラミック、アルミナ、シリカ、シリカ・アルミナ、粘土鉱物等の中間剤が充填されている。中間剤の形状は、例えば、ボール、リング、ペレット等の各種形状が例示され、その大きさは外径で例えば約３〜２５ｍｍ程度が好ましい。中間層の収納手段は、耐熱性を有し、その形状は柱状、箱状、球状、ハニカム形状等の様々な形状が例示され、それらは単体でもよく複数個で構成されていてもよい。
【００３１】
また、ガス化ガスは、例えば、バイオマス燃料、石炭、コークス、廃油、下水汚泥、その他の有機性化合物をガス化したものである。ガス化の方法は、例えば、熱分解、部分酸化、水蒸気改質等の方法が挙げられる。本発明において、ガス化ガスの温度は、５００℃以上９００℃以下のガス温度であることが好ましい。５００℃未満では金属系触媒が酸化燃焼しにくいためである。
【発明を実施するための最良の形態】
【００３２】
本発明の実施形態を、図面を参照して詳細に説明する。図１は、本発明に係る一実施形態に係るタール分解設備の概略フローを示す。図2は、別の実施形態について示す。図１の実施形態の第1触媒層１２ａと第２触媒層１２ｂは、それぞれ別の反応容器１０ａ、１０ｂに収納されている例であり、図２の実施形態では同一の反応容器１０に収納されている例である。図１と図２において同一の符号で示す構成要素は同一の機能をそれぞれ有している。図１において、タール分解設備は、反応容器１０ａと反応容器１０ｂの構成であって、断熱型固定床反応器で構成されている。図１の制御装置３０は、反応容器１０ａ側の構成要素と破線によってそれらの関係を示しているが、図示していないが反応容器１０ｂ側とも同様に関係しており、また、図２においても同様である。また、図１と図２では触媒層が２つの構成であるが、これに限定されず３層以上も構成できる。以下に各構成要素について説明する。
【００３３】
先ず、ガス化設備は、例えば、流動層ガス化炉、循環流動層ガス化炉等で構成される。ガス化設備１は、例えば、バイオマス燃料、石炭、コークス、廃油、その他の有機性化合物を、熱分解等の方法でガス化し、ガス化ガスＧを生成する。この生成されたガス化ガスＧは後段の高温集塵設備に送給される。
【００３４】
高温集塵設備は、ガス化設備とタール分解設備の間に設置され、セラミックフィルターなどから構成され、ガス化ガスＧ中のダスト等を集塵・除去することができる。なお、この高温集塵設備は必須ではなく省略される構成もある。
【００３５】
タール分解設備は、ガス化設備によって生成されたガス化ガスＧ（約８００〜９００℃程度）中のタール成分を金属系触媒によって処理する機能を有している。タール分解設備は、図１においては２段の反応容器１０ａ、１０ｂで構成され、この反応容器１０ａ，１０ｂのそれぞれに、第１触媒層１２ａ、第２触媒層１２ｂが設置されている。これら第１、第２触媒層１２ａ、１２ｂは、通常の触媒層の厚みよりも薄く、通常の充填量の２０〜８０％程度である。例えば、第１触媒層１２ａの触媒充填量を通常の触媒充填量の２５％あるいは５０％に設定し、それに対応して第２触媒層１２ｂの触媒充填量を通常の触媒充填量の７５％あるいは５０％に設定することができる。
【００３６】
第１、第２触媒層１２ａ、１２ｂの金属系触媒は、例えば、ニッケル系触媒、コバルト系触媒、鉄系触媒、クロム系触媒および銅系触媒から選択される単体構成あるいは複数の組合せ構成が挙げられる。ニッケル系触媒としては、例えば、Ｎｉ／Ａｌ２Ｏ３、Ｎｉ／ＭｇＯ、Ｎｉ／ＭｇＯ・ＣａＯ等が例示され、ニッケル、マグネシアおよびカルシアを含む複合酸化物の改質触媒がより好ましい。これらの金属系触媒の反応温度は、金属系触媒の劣化温度未満であり、例えば、７００℃以上９５０℃未満の範囲であり、好ましくは８００℃以上９００℃未満の範囲である。本発明においては金属系触媒の反応温度域を維持できるように各種の制御が実行される。
【００３７】
タール分解設備に導入されたガス化ガスＧは、金属系触媒によってガス化ガス中のタールが分解される。その後、ガス化ガスＧは、ガス精製設備に送給されガス化ガスが精製され、ガス利用設備に送給され燃焼等に提供される。ガス精製設備は、例えば、ガス冷却装置、バグフィルター等の低温集塵装置、湿式ガス精製設備等を単独であるいはそれらの組合せで構成できる。ガス利用設備は、例えば、ボイラ等の燃焼設備、ガスタービン、ガスエンジン等の発電設備等を単独であるいはそれらの組合せで構成される。
【００３８】
また、図３に示すように第１触媒層１２ａと第２触媒層１２ｂの間に中間層１８を構成することができる。中間層１８には、耐熱性を有し、例えば、セラミック、アルミナ、シリカ、シリカ・アルミナ、粘土鉱物等が充填される。充填される剤の形状は、例えば、ボール、リング、ペレット等の各種形状が例示され、その大きさは外径で例えば約３〜２５ｍｍ程度が好ましい。中間層１８は、耐熱性を有し、その形状は柱状、箱状、球状、ハニカム形状等の様々な形状が例示され、それらは単体でもよく複数個で構成されていてもよい。
【００３９】
（実施形態１）
本実施形態１のタール分解設備の特徴構成について以下に説明する。金属系触媒層を有する反応容器１０ａ、反応容器１０ｂには、その金属系触媒の温度を測定する温度測定手段１４ａ、１４ｂが設置される。温度測定手段１４ａ、１４ｂの温度検出部位は、触媒の温度を検知する位置であれば特に制限されないが、例えば反応容器の外壁、反応容器の内壁部、反応容器の内部、または触媒層に近接する位置、触媒層壁面、触媒層内部、触媒に直接接触する位置等が例示される。また、温度測定手段１４ａ、１４ｂは、１個に限定されず、複数個設置してもよい。また、温度測定手段１４ａ、１４ｂは、ガス化ガスの入り口側の触媒層の入り口に設置してもよく、中間部あるいは出口側に設置してもよく、触媒層の出口側に設置するのがより好ましい。または、触媒層の入り口側、中間部、出口側のそれぞれに複数個づつ設置し、触媒層の温度勾配を確認できるようにすることが特に好ましい。複数の測定された温度データによって、触媒の温度状態、温度分布（温度勾配）を的確に得ることができる。温度測定手段１４ａ、１４ｂは、接触式温度計でもよく非接触式温度計でもよく、例えば熱伝対形式の測定器でもよい。また、温度測定手段１４ａ、１４ｂは、触媒層の出口のガス化ガスの温度を測定するように構成できる。
【００４０】
酸化剤供給手段２０ａ、２０ｂは、１個あるいは複数個のノズルを備える。このノズルは、触媒層あるいはガス化ガスに対し酸化剤を均一に分散して供給できるような構造を有し、また、そのように配置される。また、酸化剤供給手段２０ａ、２０ｂは、酸化剤の貯留容器（不図示）から酸化剤を所定の供給量、流速でノズルに供給するためのコンプレッサーを備え、これにより圧縮ガスを生成してもよい。酸化剤供給手段２０ａ、２０ｂは、流量計、流量調節弁、流速計、流速調整のための流速調節機能を備える。酸化剤供給手段２０ａ、２０ｂは後述する制御装置３０からの指令に応じて酸化剤の供給制御を行う。酸化剤によりガス化ガスを部分燃焼させガス化ガスの温度を上昇させることができる。
【００４１】
酸化剤は、例えば空気、酸素富化空気である。酸化剤の温度は、常温以上４００℃以下であることが好ましく、酸化剤を高温にするための燃焼コストの低減の観点から、常温以上１００℃以下がより好ましい。酸化剤を昇温するための燃焼装置（不図示）は、酸化剤供給手段２０ａ、２０ｂの前段に配置してもよく、酸化剤供給手段２０ａ、２０ｂあるいは酸化剤の貯留容器（不図示）に備えていてもよい。酸化剤として空気を用いる場合、貯留容器はなくてもよい。
【００４２】
蒸気供給手段２２ａ、２２ｂは、１個あるいは複数個のノズルを備える。このノズルは、触媒層あるいはガス化ガスに対し蒸気を均一に分散して供給できるような構造を有し、また、そのように配置される。また、蒸気供給手段２２ａ、２２ｂは、蒸気の貯留容器（不図示）から蒸気を所定の供給量、流速でノズルに供給するためのコンプレッサーを備えてもよく、蒸気圧が不十分であればコンプレッサーにより圧縮ガスを生成させる。蒸気供給手段２２ａ、２２ｂは、流量計、流量調節弁、流速計、流速調整のための流速調節機能を備える。蒸気供給手段２２ａ、２２ｂは後述する制御装置３０からの指令に応じて蒸気の供給制御を行う。蒸気によりガス化ガスの温度を低下させることができる。
【００４３】
また、それぞれの反応容器１０ａ、１０ｂには、送給されたガス化ガスＧを直接に昇温する燃焼手段２４ａ、２４ｂが設置される。また、この燃焼手段２４ａ、２４ｂは、ガス化ガスＧの昇温のために用いる他に、第１、第２触媒層１２ａ、１２ｂの温度を上げるために用いることができる。また、図１に示すように燃焼手段２４ａ、２４ｂを反応容器１０ａ、１０ｂのガス化ガスＧの入り口側に配置する構成に限定されず、第１、第２触媒層１２ａ，１２ｂのそれぞれの出口側に配置し、触媒層雰囲気温度の低いエリアを昇温できるように構成できる。燃焼手段２４ａ、２４ｂは後述の制御装置３０によって制御される。
【００４４】
制御装置３０（制御手段に相当する）は、温度測定手段１４ａ、１４ｂで測定された第１、第２触媒層１２ａ，１２ｂのそれぞれの温度を当該触媒の反応温度範囲（例えば７００℃以上９５０℃未満）になるように、酸化剤供給手段２０ａ、２０ｂあるいは蒸気供給手段２２ａ，２２ｂを制御する構成である。
【００４５】
例えば、制御装置３０は、温度測定手段１４ａで測定された第１触媒層１２ａの温度が、当該触媒の反応温度範囲よりも低い場合に、酸化剤供給手段２０ａを制御して、所定量の酸化剤を供給し、目的の温度範囲になるようにフィードバック制御する。また、温度測定手ｂ１４ｂで測定された第２触媒層１２ｂの温度が、当該触媒の反応温度範囲よりも低い場合に、酸化剤供給手段２０ｂを制御して、所定量の酸化剤を供給し、目的の温度範囲になるようにフィードバック制御する。また、制御装置３０は、酸化剤の供給時間を設定できる。また、供給方法として、連続供給、間欠供給を設定できる。
【００４６】
また、制御装置３０は、温度測定手段１４ａで測定された第１触媒層１２ａの温度が、当該触媒の反応温度範囲よりも高い場合に、蒸気供給手段２２ａを制御して、所定量の蒸気を供給し、目的の温度範囲になるようにフィードバック制御する。また、温度測定手ｂ１４ｂで測定された第２触媒層１２ｂの温度が、当該触媒の反応温度範囲よりも高い場合に、蒸気供給手段２２ｂを制御して、所定量の蒸気を供給し、目的の温度範囲になるようにフィードバック制御する。
【００４７】
また、制御方法としては、触媒の温度データに基づくフィードバック制御の他に、ＰＩＤ制御、比例制御が挙げられる。制御装置３０は、情報処理装置、ファームウエアあるいは専用回路等で構成され、情報処理装置の場合、制御手順を記述したプログラムとそれを格納するメモリと演算部であるＣＰＵ、メインメモリ等のハードウエア資源との協働作用によって実現される。また、制御装置３０は、ガス化設備およびタール分解設備の制御装置と連動していてもよく、単独に機能していてもよい。
【００４８】
また、触媒供給手段４０ａ，４０ｂはそれぞれ、反応容器１０ａ、１０ｂの内部の第１、第２触媒層１２ａ、１２ｂのそれぞれに対し、金属系触媒を供給する構成である。触媒供給手段４０ａ，４０ｂは、触媒用容器、重量測定器、搬送機構、バルブ等の開閉機構等で構成される。また、触媒はカートリッジ形式の触媒層ユニットとして構成し、ユニット単位に供給する場合、反応容器の側面から触媒層ユニットを装着する構成が好ましい。また、図１の触媒供給手段４０ａ，４０ｂの場合、充填口を複数設け、さらに充填された触媒を撹拌して充填状態を制御する撹拌装置を備える構成が好ましい。充填口が一箇所の場合、触媒の安息角に従って触媒が山積みされ、圧力損失のバランス上、触媒層でのガス流れの偏流を引き起こすため好ましくない。一方、図２の場合は、充填口が一箇所でも大きな問題は生じにくい。
【００４９】
また、触媒排出手段４２ａ，４２ｂはそれぞれ、反応容器１０ａ、１０ｂの内部の第１、第２触媒層１２ａ、１２ｂのそれぞれから、金属系触媒を排出する構成である。触媒排出手段４２ａ，４２ｂは、バルブ等の排出用開閉機構、搬送機構、排出された触媒の収納容器、重量測定器等で構成される。上述の触媒層ユニットの場合は、反応容器の側面から触媒層ユニットを取り外す構成ができる。
【００５０】
制御装置３０の一機能要素である触媒劣化判断部（触媒劣化判断手段に相当する）は、温度測定手段１４ａ、１４ｂで測定された触媒層あるいはガス化ガスの温度の上昇傾向を算出し、当該上昇傾向に基づいて触媒の劣化を判断することができる。例えば、温度上昇傾向として、任意の２点の時刻間の測定温度直線の傾きが、設定値（例えば１．５〜２）以上の場合に触媒の劣化であると判断する。または、測定温度が、設定値（例えば触媒の反応温度範囲）以上であれば、触媒の劣化であると判断する。
【００５１】
また、制御装置３０の一機能要素である触媒入れ替え制御部（触媒入れ替え制御手段に相当する）は、触媒劣化判断部の判断結果において、上昇傾向が予め設定された設定値以上の場合に、触媒を入れ換えるあるいは触媒を補充するように触媒排出手段４２ａ、４２ｂおよび触媒供給手段４０ａ、４０ｂを制御することができる。触媒の入れ替えは、一部の入れ替えでもよく全部の入れ替えでもよい。また、補充は、それぞれの触媒層の上に新たに触媒を補充する構成である。
【００５２】
（実施形態２）
実施形態２は、上述の実施形態１において、触媒の劣化を判断する構成が異なっている。実施形態２の触媒劣化判断部は、制御装置３０によって酸化剤供給手段２０ａ、２０ｂが制御される場合において、測定された第１、第２触媒層１２ａ、１２ｂのそれぞれの温度を一定に維持するように酸化剤の供給制御を行う場合、酸化剤の供給量の供給傾向を算出し、当該供給傾向に基づいて触媒の劣化を判断する構成である。例えば、酸化剤の供給傾向として、任意の２点の時刻間の供給量の直線の傾きが、設定値（例えば−１．５）以下の場合に触媒の劣化であると判断する。これは、測定温度が一定に維持されるように酸化剤を供給する制御構成の場合に、触媒が劣化すれば、酸化剤の供給量が減少するはずとの着想に基づいている。そして、触媒入れ替え制御部は、触媒劣化判断部の判断結果において、供給傾向が予め設定された減少傾向の設定値の場合に、劣化した触媒を入れ換えるあるいは触媒を補充するように触媒排出手段４２ａ、４２ｂおよび触媒供給手段４０ａ、４０ｂを制御する構成である。
【００５３】
（実施形態３）
実施形態３は、上述の実施形態１、２とは異なる、触媒の劣化を判断する構成である。反応容器１０ａ、反応容器１０ｂには、第１、第２触媒層１２ａ、１２ｂの後段あるいは出口側に、ガス化ガス中の炭化水素成分の濃度を測定する第１、第２成分濃度測定手段１６ａ、１６ｂが設置される。炭化水素成分としては、例えばＣｎＨｍ成分（例えばエタン等）、エチレン等が挙げられる。
【００５４】
触媒劣化判断部は、第１、第２成分濃度測定手段１６ａ、１６ｂで測定された濃度の上昇傾向を算出し、当該上昇傾向に基づいて触媒の劣化を判断する。例えば、濃度の上昇傾向として、任意の２点の時刻間の測定濃度直線の傾きが、設定値（例えば、１．５）以上の場合に触媒の劣化であると判断する。または、測定濃度が例えば、設定値以上であれば、触媒の劣化であると判断する。そして、触媒入れ替え制御部は、触媒劣化判断部の判断結果において、前記上昇傾向が予め設定された設定値以上の場合に、前記触媒を入れ換えるあるいは触媒を補充するように触媒排出手段４２ａ、４２ｂおよび触媒供給手段４０ａ、４０ｂを制御する構成である。
【００５５】
また、実施形態３において、制御装置３０は、第１、第２成分濃度測定手段１６ａ、１６ｂで測定された濃度が、予め設定された濃度範囲にない場合に、触媒の温度が当該触媒の反応温度範囲になるように、酸化剤供給手段２０ａ、２０ｂあるいは蒸気供給手段２２ａ，２２ｂを制御する構成である。
【００５６】
（実施例１）
下水汚泥をガス化し、Ｎｉ系触媒を用いた実施例を示す。ここでのＮｉ系触媒は、８００〜９００℃の温度範囲が最も触媒反応効果が高い。タール分解を一層の触媒層で行う場合、触媒層入口ガス温度が９００℃の場合、触媒層出口ガス温度は７５０℃まで下がる。また、触媒層出口ガス温度を８２５℃にした場合、メタン改質による吸熱反応も含めて、触媒層入口ガス温度は１０００〜１０５０℃となり、システム全体のエネルギーロスが大きくなる。
【００５７】
これに対し、上述の触媒層を１：３の２層に分割し、第１触媒層は２５％の層厚み（充填量も２５％）とし、第２触媒層は７５％の層厚み（充填量も７５％）に設定した。そして図１、２に示す設備構成とした。その結果、第１触媒層の入り口ガス温度／出口ガス温度＝９００℃／８２５℃、第２触媒層の入り口ガス温度／出口ガス温度＝９００℃／８２５℃に温度制御でき、効率的な運転が可能となった。温度調整の例として、８００℃のガス化ガスに対し、ガス量の約１０ｖｏｌ％の空気を供給した場合、ガス化ガスは９６０℃に上昇する（平衡計算による）。また、８００℃のガス化ガスに対し、ガス量の約２５ｖｏｌ％の蒸気を供給した場合、ガス化ガスは６７０℃に減温する（平衡計算による）。
【００５８】
（他の実施の形態）
（１）上記実施形態において、ガス化設備としては、ガス化溶融炉や炭化・乾留設備などであってもよく、特に限定されない。
（２）本発明に適用できるガス化ガスとしては、各種有機系廃棄物の他、各種固形燃料、産業廃棄物などを燃焼して生成されたガス化ガスなどが挙げられる。
【図面の簡単な説明】
【００５９】
【図１】本発明の一実施形態に係るタール分解設備を説明するための図
【図２】本発明の一実施形態に係るタール分解設備を説明するための図
【図３】本発明の一実施形態に係るタール分解設備を説明するための図
【図４】従来のタール分解設備を説明するための図
【図５】従来のタール分解設備を説明するための図
【符号の説明】
【００６０】
１０、１０ａ、１０ｂ      反応容器
１２ａ、１２ｂ      触媒層
１４ａ、１４ｂ      触媒温度測定手段
１６ａ、１６ｂ      成分濃度測定手段
２０ａ、２０ｂ      酸化剤供給手段
２２ａ、２２ｂ      蒸気供給手段
３０                制御装置
４０ａ、４０ｂ      触媒供給手段
４２ａ、４２ｂ      触媒排出手段
【図１】
2010111779.tif 000003
【図２】
2010111779.tif 000004
【図３】
2010111779.tif 000005
【図４】
2010111779.tif 000006
【図５】
2010111779.tif 000007